(57)【要約】【課題】クリティカルラインの高さを下げることができ、水洗大便器の貯水タンクに給水する給水バルブユニットの高さを下げることができ、水洗大便器をローシルエット化することができる水洗大便器を提供する。【解決手段】本発明の水洗大便器は、便器本体２と、洗浄水を貯水する貯水タンク１６と、給水源から洗浄水を供給する流路を開閉する給水バルブユニット３０と、貯水タンクから便器本体まで延びる洗浄水供給経路２２と、貯水タンクの上部から排水トラップ管路内の封水が形成される部分よりも下流側の流路部分まで延びるオーバーフローバイパス流路４０と、オーバーフローバイパス流路に設けられると共に臭気の逆流を抑制する臭気逆流抑制部４２とを備える。【選択図】図２
2020117927.tif 000002
【特許請求の範囲】
【請求項１】
洗浄水によって洗浄され汚物を排出する水洗大便器であって、
便器本体であって、上記便器本体は、ボウル部と、洗浄水を吐出する吐水口部と、排水トラップ管路とを備え、上記排水トラップ管路は、入口部と、入口部から上昇する上昇部と、封水を形成する頂部と、上記頂部から下降すると共に下流側で排水流路と接続される下降部とを備えた、上記便器本体と、
洗浄水を貯水する貯水タンクと、
給水源から洗浄水を供給する流路を開閉する給水バルブユニットと、
上記貯水タンクから上記便器本体まで延びる洗浄水供給経路と、
上記貯水タンクの上部から封水が形成される部分よりも下流側の流路部分まで延びるオーバーフローバイパス流路と、
上記オーバーフローバイパス流路に設けられると共に臭気の逆流を抑制する臭気逆流抑制部とを備えることを特徴とする水洗大便器。
【請求項２】
上記オーバーフローバイパス流路及び上記臭気逆流抑制部は、上記便器本体の外装部材内に収納される、請求項１に記載の水洗大便器。
【請求項３】
上記臭気逆流抑制部は、水封トラップである、請求項１又は２に記載の水洗大便器。
【請求項４】
上記排水トラップ管路の上記下降部に接続される上記排水流路は排水ソケットにより形成され、
上記オーバーフローバイパス流路は、上記排水ソケットに接続される、請求項１乃至３の何れか１項に記載の水洗大便器。
【請求項５】
上記排水ソケットは、下流側の排水配管に接続される下流側部材と、
上記下流側部材と上記排水トラップ管路の上記下降部との間に配置される上流側部材とを備え、
上記オーバーフローバイパス流路は、上記排水ソケットの上記上流側部材に接続される、請求項４に記載の水洗大便器。
【発明の詳細な説明】
【技術分野】
【０００１】
本発明は、水洗大便器に係り、特に、洗浄水によって洗浄され汚物を排出する水洗大便器に関する。
【背景技術】
【０００２】
従来、特許文献１に示すように、局部洗浄装置、貯水タンク及び機能部等をカバー内に一体的に収納した一体型の水洗大便器が知られている。
【先行技術文献】
【特許文献】
【０００３】
【特許文献１】特開２００９−７８５４号公報
【発明の概要】
【発明が解決しようとする課題】
【０００４】
特許文献１に示すような水洗大便器において、便器本体の排水トラップ管路の上昇部（又は入口部）が詰まった状態且つ給水バルブが開状態のままとなる故障時に、洗浄水が便器本体から貯水タンクに逆流しても、上水（例えば給水バルブユニット側の洗浄水）と下水（例えばボウル部以後の洗浄水）とが混ざらないために構造上要求されるクリティカルラインが設定される。このような水洗大便器をローシルエット化しようとする場合には、給水バルブユニットの高さを下げるため、このクリティカルラインの高さを下げることが必要となるという課題がある。しかしながら、特許文献１に示すような水洗大便器の構成を採用したまま、クリティカルラインを下げることは容易ではないという問題があった。
【０００５】
そこで、本発明は、上述した従来技術の問題点と課題を解決するためになされたものであり、クリティカルラインの高さを下げることができ、水洗大便器の貯水タンクに給水する給水バルブユニットの高さを下げることができ、水洗大便器をローシルエット化することができる水洗大便器を提供することを目的としている。
【課題を解決するための手段】
【０００６】
上記の目的を達成するために、洗浄水によって洗浄され汚物を排出する水洗大便器であって、便器本体であって、上記便器本体は、ボウル部と、洗浄水を吐出する吐水口部と、排水トラップ管路とを備え、上記排水トラップ管路は、入口部と、入口部から上昇する上昇部と、封水を形成する頂部と、上記頂部から下降すると共に下流側で排水流路と接続される下降部とを備えた、上記便器本体と、洗浄水を貯水する貯水タンクと、給水源から洗浄水を供給する流路を開閉する給水バルブユニットと、上記貯水タンクから上記便器本体まで延びる洗浄水供給経路と、上記貯水タンクの上部から封水が形成される部分よりも下流側の流路部分まで延びるオーバーフローバイパス流路と、上記オーバーフローバイパス流路に設けられると共に臭気の逆流を抑制する臭気逆流抑制部とを備えることを特徴としている。
このように構成された本発明によれば、オーバーフローバイパス流路が上記貯水タンクの上部から封水が形成される部分よりも下流側の流路部分まで延びている。これにより、便器本体の排水トラップ管路の上昇部（又は入口部）が詰まった状態且つ給水バルブが開状態のままとなる故障時に、洗浄水が便器本体から洗浄水供給経路を介して貯水タンクまで逆流する場合においても、洗浄水がオーバーフローバイパス流路から封水が形成される部分よりも下流側の流路部分に流れることができる。これにより、上述のような故障時に、洗浄水が貯水タンクから給水バルブユニットに上昇することを防ぐことができる。よって、上水（例えば給水バルブユニット側の洗浄水）と下水（例えばボウル部以後の洗浄水）が混ざらないために構造上要求されるクリティカルラインの高さに対し、上記故障時に、洗浄水が貯水タンクから上昇する水位の高さを、オーバーフローバイパス流路の入口までに抑えることができる。よって、故障時に給水バルブユニットに向けて上昇する上記水位の高さを抑えられるため、クリティカルラインに対して猶予が高められ、クリティカルラインの高さを下げることができ、クリティカルラインを決定する構造上の要素のうち給水バルブユニットの高さを下げることができる。したがって、水洗大便器の貯水タンクに給水する給水バルブユニットの高さを下げることができ、水洗大便器をローシルエット化することができる。
【０００７】
本発明において、好ましくは、上記オーバーフローバイパス流路及び上記臭気逆流抑制部は、上記便器本体の外装部材内に収納される。
このように構成された本発明によれば、上記オーバーフローバイパス流路及び上記臭気逆流抑制部が、上記便器本体の外装部材内に収納されるので、仮に臭気が漏出したとしても、臭気の漏出をさらに抑制することができる。
【０００８】
本発明において、好ましくは、上記臭気逆流抑制部は、水封トラップである。
このように構成された本発明によれば、水封トラップによって臭気の逆流を抑制することができる。
【０００９】
本発明において、好ましくは、上記排水トラップ管路の上記下降部に接続される上記排水流路は排水ソケットにより形成され、上記オーバーフローバイパス流路は、上記排水ソケットに接続される。
このように構成された本発明によれば、上記オーバーフローバイパス流路は、上記排水ソケットに接続される。これにより、便器本体の排水トラップ管路への接続や建物側に延びる排水配管への接続等に比べて、比較的容易に排水ソケットにオーバーフローバイパス流路を接続する構造が実現でき、オーバーフローバイパス流路を形成する施工性を向上させることができる。
【００１０】
本発明において、好ましくは、上記排水ソケットは、下流側の排水配管に接続される下流側部材と、上記下流側部材と上記排水トラップ管路の上記下降部との間に配置される上流側部材とを備え、上記オーバーフローバイパス流路は、上記排水ソケットの上記上流側部材に接続される。
このように構成された本発明によれば、オーバーフローバイパス流路が接続された上流側部材を、排水配管に接続された下流側部材に取付けることで、比較的簡単に且つ確実に排水ソケットを排水配管に接続された状態で完成させることができる。これにより、排水ソケット及びオーバーフローバイパス流路の施工性（例えば施工のしやすさ及び施工効率）を向上させることができる。よって、水洗大便器の施工性を向上させることができる。
【発明の効果】
【００１１】
本発明の水洗大便器によれば、クリティカルラインの高さを下げることができ、水洗大便器の貯水タンクに給水する給水バルブユニットの高さを下げることができ、水洗大便器をローシルエット化することができる。
【図面の簡単な説明】
【００１２】
【図１】本発明の一実施形態による水洗大便器を示す中央断面図である。
【図２】本発明の一実施形態による水洗大便器の構成を説明する全体構成図である。
【図３】本発明の一実施形態による水洗大便器の構成を説明するブロック図である。
【図４】図１の水洗大便器の排水ソケットの正面図である。
【図５】図４のV-V線に沿って見た断面図である。
【図６】本発明の一実施形態による水洗大便器において、クリティカルラインＣＬの高さを下げることができ、水洗大便器の高さを抑制してローシルエット化することができる知見について説明する図である。
【発明を実施するための形態】
【００１３】
次に、添付図面を参照して、本発明の一実施形態による水洗大便器を説明する。
先ず、図１乃至図３により、本発明の一実施形態による水洗大便器の構造を説明する。ここで、図１は、本発明の一実施形態による水洗大便器を示す中央断面図であり、図２は本発明の一実施形態による水洗大便器の構成を説明する全体構成図であり、図３は本発明の一実施形態による水洗大便器の構成を説明するブロック図である。
【００１４】
図１に示すように、本発明の一実施形態による水洗大便器１は、洗浄水により洗浄され汚物を排出する水洗大便器である。水洗大便器１は、便器本体２と、便器本体２の上部の外装部材を形成するケーシングカバー４と、便器本体２の下部の外装部材を形成するスカート部６と、を備えている。
ケーシングカバー４は後述する貯水タンク及び給水バルブの上方側を覆うようなカバーを形成している。スカート部６は、貯水タンク及び給水バルブの側方側を覆うようなカバーを形成している。よって、ケーシングカバー４及びスカート部６の内側に、貯水タンク及び給水バルブがともに給水装置として一体的に収納される。
【００１５】
便器本体２は陶器製である。便器本体２は床面Ｆ上に配置されている。便器本体２は、汚物を受けるボウル部８と、ボウル部８の底部から延びる排水トラップ管路１０と、リム吐水を行うように洗浄水を吐出するリム吐水口部１２と、ジェット吐水を行うように洗浄水を吐出するジェット吐水口部１４と、を備えている。
【００１６】
排水トラップ管路１０は、入口部１０ａと、この入口部１０ａから上昇する上昇部であるトラップ上昇管１０ｂと、このトラップ上昇管１０ｂから下降する下降部であるトラップ下降管１０ｃとからなり、トラップ上昇管１０ｂとトラップ下降管１０ｃとの間が頂部１０ｄとなっている。頂部１０ｄは、待機状態における溜水の封水水位ＷＬ０を規定する。洗浄前の待機状態においては、頂部１０ｄまで洗浄水の溜水部９が形成される。
【００１７】
リム吐水口部１２は、便器本体２の正面から見てボウル部８の左側上部後方に形成されており、ボウル部８の上縁に沿って洗浄水を吐出するようになっている。また、ジェット吐水口部１４は、ボウル部８の底部に形成されており、排水トラップ管路１０の入口に指向してほぼ水平に配置され、洗浄水を排水トラップ管路１０に向けて吐出するようになっている。本実施形態による水洗大便器１は、洗浄水を供給する給水源（水道）に直結されており、水道の給水圧力によりリム吐水口部１２から洗浄水が吐出される。また、ジェット吐水に関しては、後述するように、貯水タンク１６に貯水された洗浄水をポンプ装置２４によって送出して、大流量でジェット吐水口部１４から吐出させるようになっている。
【００１８】
次に、本実施形態による水洗大便器１のリム吐水口部１２及びジェット吐水口部１４への給水システムを説明する。
水洗大便器は、さらに、洗浄水を貯水する貯水タンク１６と、洗浄水を給水する給水装置１８と、給水装置１８の給水バルブユニット３０から便器本体２のリム吐水口部１２まで延びる洗浄水供給経路である第１供給経路２０と、貯水タンク１６から便器本体２のジェット吐水口部１４まで延びる洗浄水供給経路である第２供給経路２２と、貯水タンク１６から第２供給経路２２まで延びるオーバーフロー流路２３と、洗浄水供給経路である第２供給経路２２上に設けられて貯水タンク１６の洗浄水を便器本体２に供給するポンプ装置２４とを備えている。
【００１９】
貯水タンク１６は、便器本体２の後方に配置され、ケーシングカバー４及びスカート部６内に配置されている。貯水タンク１６は、便器本体２と一体的にケーシングカバー４及びスカート部６内に収納されるタンクである。
【００２０】
給水装置１８は、便器本体２の後方に配置され、ケーシングカバー４及びスカート部６内に配置されている。給水装置１８は、洗浄水を給水する機能を有する。給水装置１８は、止水栓２６と、給水源（例えば水道）から洗浄水が供給される給水路２８と、給水バルブユニット３０とを備えている。給水路２８は、止水栓２６と給水バルブユニット３０との間において給水ホースにより形成されている。
【００２１】
給水バルブユニット３０は、給水源から洗浄水を供給する流路を開閉する。給水バルブユニット３０は、定流量弁３２、ダイヤフラム式の電磁開閉弁３４、給水路切替弁３６等を備えている。
【００２２】
給水路切替弁３６の下流側には、リム吐水口部１２に洗浄水を供給するための第１供給経路２０、及び、貯水タンク１６に洗浄水を供給するためのタンク側給水路３８が接続されている。
【００２３】
電磁開閉弁３４を通過した洗浄水は、給水路切替弁３６により、リム側の第１供給経路２０からリム吐水口部１２へ、及び／又は、タンク側のタンク側給水路３８から貯水タンク１６に供給される。このように、水洗大便器１は、リム吐水に関しては水道の水圧（直圧）を利用して給水して便器を洗浄し、さらに、ジェット吐水に関しては、貯水タンク１６に貯水された洗浄水をポンプ装置２４によって加圧してジェット吐水口部１４から吐出させるようになっているハイブリッド式（水道直圧式＋タンク給水式）の給水装置を有するハイブリッド式水洗大便器である。
【００２４】
オーバーフロー流路２３は、貯水タンク１６内の洗浄水がオーバーフロー流路２３の入口まで上昇した場合に、洗浄水を第２供給経路２２を介してジェット吐水口部１４に流すようになっている。
【００２５】
ポンプ装置２４は、洗浄水を送出するポンプである。ポンプ装置２４は、第２供給経路２２中に設けられる。ポンプ装置２４が、貯水タンク１６に貯水された洗浄水を吸引すると共に加圧してジェット吐水口部１４まで供給するようになっている。
【００２６】
次に、図１乃至図５を参照して、オーバーフローバイパス流路、臭気逆流抑制部及び排水ソケットを詳細に説明する。
図４は図１の水洗大便器の排水ソケットの正面図であり、図５は図４のV-V線に沿って見た断面図である。
【００２７】
水洗大便器１は、貯水タンク１６の上部から排水トラップ管路１０内の封水（封水水位ＷＬ０）が形成される部分よりも下流側の流路部分まで延びるオーバーフローバイパス流路４０と、オーバーフローバイパス流路４０に設けられると共に臭気の逆流を抑制する臭気逆流抑制部４２とを備えている。オーバーフローバイパス流路４０及び臭気逆流抑制部４２は、便器本体２のケーシングカバー４及びスカート部６内に収納される。
【００２８】
オーバーフローバイパス流路４０は、貯水タンク１６からのオーバーフローバイパス流路４０を溜水部９を迂回させるようにして溜水部９よりも下流側にバイパスさせる。オーバーフローバイパス流路４０は、排水トラップ管路の上昇部（又は入口部）が詰まった状態且つ給水バルブが開状態のままとなる故障時に、貯水タンク１６内の洗浄水の水位上昇を、オーバーフローバイパス流路４０の入口４０ａより上昇しないように抑制する水位上昇抑制機能を有すると共に、水位の上昇が抑制できることによるクリティカルラインへの安全猶予の増加に伴ってクリティカルラインを低下させるクリティカルライン低下機能を有する。
【００２９】
臭気逆流抑制部４２は、洗浄水で封水ＷＬ１を形成する水封トラップである。臭気逆流抑制部４２は、流路が折り返すトラップ構造を形成している。臭気逆流抑制部４２は、臭気の逆流や、害虫の侵入を抑制する機能を有する。
【００３０】
図１に示すように、水洗大便器１は、さらに、排水トラップ管路１０のトラップ下降管１０ｃに接続されると共にトラップ下降管１０ｃの下流側の排水流路を形成する排水ソケット４４を備えている。排水ソケット４４の下端には床面Ｆ以下で建物躯体側に延びる排水配管４６が接続されている。排水配管４６は、排水ソケット４４のさらに下流側に延びる排水流路を形成している。オーバーフローバイパス流路４０は、排水ソケット４４に接続される。
【００３１】
排水ソケット４４は、排水配管４６に接続される下流側部材４８と、下流側部材４８と排水トラップ管路１０のトラップ下降管１０ｃとの間に配置される上流側部材５０とを備えている。オーバーフローバイパス流路４０は、排水ソケット４４の上流側部材５０に接続される。排水ソケット４４は、下流側部材４８と、上流側部材５０とを組み合わせることにより比較的簡単に形成することができる。オーバーフローバイパス流路４０が接続された上流側部材５０を、排水配管４６に接続された下流側部材４８に取付けることで、比較的簡単に且つ確実に排水ソケット４４が排水配管４６に接続された状態で完成させることができ、排水ソケット４４及びオーバーフローバイパス流路４０の施工性（例えば施工のしやすさ及び施工効率）を向上させることができる。
【００３２】
本発明の発明者は、従来技術の課題に対し、鋭意研究を続けた結果、クリティカルラインＣＬ（図６参照）の高さを下げることができ、水洗大便器１の高さを抑制してローシルエット化することができる知見を見出した。図６を参照して、この原理について説明する。図６は本発明の一実施形態による水洗大便器において、クリティカルラインＣＬの高さを下げることができ、水洗大便器の高さを抑制してローシルエット化することができる知見について説明する図である。
【００３３】
クリティカルラインＣＬは、水洗大便器１においては、上水（例えば給水バルブユニット側の洗浄水）と下水（例えばボウル部以後の洗浄水）が混ざらないために構造上要求される。よって、故障時においても水位がクリティカルラインＣＬまで上昇しないことが要求される。図６においてクリティカルラインＣＬを例示している。当業者はクリティカルラインＣＬを上水と下水とのクロスコネクションを防ぐための技術用語として理解可能である。クリティカルラインＣＬは、給水バルブユニット３０及び貯水タンク１６の構造上の位置関係の影響を受ける。よって、クリティカルラインＣＬが比較的高い位置に設定される場合、給水バルブユニット３０が比較的高い位置に設定されなければならなくなる。
【００３４】
本発明の発明者は、便器本体２の排水トラップ管路の上昇部（又は入口部）が詰まった状態且つ給水バルブユニット３０が開状態のままとなる故障時に、洗浄水が便器本体２から第２供給経路２２を介して貯水タンク１６まで逆流する場合に、貯水タンク１６側の水位の上昇を抑制することができることを見出した。上記故障時には、貯水タンク１６側の水位が下水（汚水）により上昇する課題があったため、クリティカルラインＣＬの高さを下げるためには、貯水タンク１６側の水位の上昇を抑制することが有効であることを見出した。さらに、発明者はこのような効果を実現するために有効な構造についても新たな知見を得た。例えば、発明者は、貯水タンク１６側の水位の上昇を便器外漏水させずに排水配管への流出により押さえることができることを見出した。
【００３５】
図６を参照して、便器本体２の排水トラップ管路１０のトラップ上昇管１０ｂ（又は入口部）が詰まった状態且つ給水バルブユニット３０が開状態のままとなる故障時の状態を説明する。先ず、給水バルブユニット３０が洗浄水をリム吐水口部１２及びジェット吐水口部１４に供給し、ボウル部８が洗浄される。仮に排水トラップ管路１０のトラップ上昇管１０ｂ（又は入口部１０ａ）が詰まった状態となるとき、供給される洗浄水が排出されないので、洗浄水がボウル部８に溜まり、矢印Ｆ０に示すように、ボウル部８のリム部８ａの頂部から溢れるように便器外漏水する。さらに、ボウル部８に洗浄水が供給されるので、矢印Ｆ１及びＦ２に示すように、洗浄水はジェット吐水口部１４から第２供給経路２２を逆流して貯水タンク１６側に逆流する。
【００３６】
このとき、貯水タンク１６内に逆流した洗浄水により、貯水タンク１６内の洗浄水の水位が上昇する。矢印Ｆ３に示すように、洗浄水がオーバーフロー流路２３の入口まで到達した場合に、洗浄水はオーバーフロー流路２３を介して流出するが、第２供給経路２２には、ジェット吐水口部１４から逆流してきている洗浄水の流れが存在している。よって、貯水タンク１６内の洗浄水の水位はさらに、上昇する。矢印Ｆ４に示すように、貯水タンク１６内の洗浄水の水位が、オーバーフローバイパス流路４０の入口４０ａの水位ＷＬ２に到達するとき、洗浄水がオーバーフローバイパス流路４０に流入する。よって、矢印Ｆ５に示すように、洗浄水がオーバーフローバイパス流路４０から封水ＷＬ０が形成される部分よりも下流側の流路部分、例えば排水ソケット４４に流れることができる。
【００３７】
洗浄水がオーバーフローバイパス流路４０から排水ソケット４４に流れるので、洗浄水が貯水タンク１６内で上昇する水位の高さを、オーバーフローバイパス流路４０の入口４０ａまでに抑えることができる。よって、上記故障時に洗浄水の水位の上昇高さを抑えられるため、クリティカルラインＣＬまで水位が上昇しない構造を形成でき、クリティカルラインＣＬの高さを下げることができ、クリティカルラインＣＬを決定する構造上の要素のうち給水バルブ３０の高さを下げることができる。したがって、水洗大便器１の給水バルブ３０の高さを下げることができ、水洗大便器１の全体の高さをより低くでき、水洗大便器１をローシルエット化することができる。
【００３８】
上述した本発明の一実施形態による水洗大便器１によれば、このように構成された本発明によれば、オーバーフローバイパス流路４０が貯水タンク１６の上部から封水が形成される部分よりも下流側の流路部分まで延びている。これにより、便器本体２の排水トラップ管路１０のトラップ上昇管１０ｂ（又は入口部１０ａ）が詰まった状態且つ給水バルブユニット３０が開状態のままとなる故障時に、洗浄水が便器本体２から第２供給経路２２を介して貯水タンク１６まで逆流する場合においても、洗浄水がオーバーフローバイパス流路４０から封水が形成される部分よりも下流側の流路部分に流れることができる。これにより、上述のような故障時に、洗浄水が貯水タンク１６から給水バルブユニット３０に上昇することを防ぐことができる。よって、上水（例えば給水バルブユニット３０側の洗浄水）と下水（例えばボウル部以後の洗浄水）が混ざらないために構造上要求されるクリティカルラインＣＬの高さに対し、上記故障時に、洗浄水が貯水タンク１６から上昇する水位の高さを、オーバーフローバイパス流路４０の入口までに抑えることができる。よって、故障時に給水バルブユニット３０に向けて上昇する上記水位の高さを抑えられるため、クリティカルラインＣＬに対して猶予が高められ、クリティカルラインＣＬの高さを下げることができ、クリティカルラインＣＬを決定する構造上の要素のうち給水バルブユニット３０の高さを下げることができる。したがって、水洗大便器１の貯水タンク１６に給水する給水バルブユニット３０の高さを下げることができ、水洗大便器１をローシルエット化することができる。
また、オーバーフローバイパス流路４０が貯水タンク１６の上部から封水が形成される部分よりも下流側の流路部分まで延びている。これにより、例えば排水トラップ管路１０のトラップ上昇管１０ｂが詰まった状態となり、洗浄水が貯水タンク１６から洗浄水供給経路を介して流れなくなった場合であっても、洗浄水が貯水タンク１６からオーバーフローバイパス流路４０を介して流れることができる。よって、排水トラップ管路１０のトラップ上昇管１０ｂが詰まった故障において、洗浄水が貯水タンク１６から排水できなくなる状況が生じることを抑制することができる。
また、オーバーフローバイパス流路４０は、封水が形成される部分よりも下流側の流路部分に接続されるので、この接続部分が封水中に位置しないようにできる。よって、この接続部分に詰まりが生じることが抑制される。
また、オーバーフローバイパス流路４０は、封水が形成される部分よりも下流側の流路部分に接続されるので、洗浄水がオーバーフローバイパス流路４０を介して流れる様子を使用者に視認されにくくすることができ、使用者に不安感を与えることを抑制することができる。
さらに、オーバーフローバイパス流路４０は臭気逆流抑制部４２を備えているので、封水よりも下流側の流路の臭気がオーバーフローバイパス流路４０を介して貯水タンク１６側に流れることを抑制することができる。
【００３９】
さらに、本実施形態による水洗大便器１によれば、オーバーフローバイパス流路４０及び臭気逆流抑制部４２が、上記便器本体２のケーシングカバー４及び／又はスカート部６内に収納されるので、仮に臭気が漏出したとしても、臭気の漏出をさらに抑制することができる。
【００４０】
また、本実施形態による水洗大便器１によれば、水封トラップによって臭気の逆流を抑制することができる。
【００４１】
また、本実施形態による水洗大便器１によれば、オーバーフローバイパス流路４０は、排水ソケット４４に接続される。これにより、便器本体２の排水トラップ管路１０への接続や建物側に延びる排水配管４６への接続等に比べて、比較的容易に排水ソケット４４にオーバーフローバイパス流路４０を接続する構造が実現でき、オーバーフローバイパス流路４０を形成する施工性を向上させることができる。
【００４２】
また、本実施形態による水洗大便器１によれば、オーバーフローバイパス流路４０が接続された上流側部材５０を、排水配管４６に接続された下流側部材４８に取付けることで、比較的簡単に且つ確実に排水ソケット４４を排水配管４６に接続された状態で完成させることができる。これにより、排水ソケット４４及びオーバーフローバイパス流路４０の施工性（例えば施工のしやすさ及び施工効率）を向上させることができる。よって、水洗大便器１の施工性を向上させることができる。
【００４３】
以上に説明した一実施形態において、オーバーフローバイパス流路４０の接続先は、封水ＷＬ０が形成される部分よりも下流側の流路部分の任意の部分に変更可能である。例えば、オーバーフローバイパス流路４０は、排水ソケット４４以外に、封水ＷＬ０よりも下流側のトラップ上昇管１０ｂ、トラップ下降管１０ｃ、排水配管４６に接続されてもよい。
【００４４】
また、上述の一実施形態において、水洗大便器１は、ハイブリッド式（水道直圧式＋タンク給水式）の給水システムを有する。例えば、水洗大便器１は、リム吐水及びジェット吐水の両方に関して、貯水タンクに貯水された洗浄水をポンプ装置によって加圧してリム吐水口部１２及びジェット吐水口部１４から吐出させるようになっているフルポンプ式（タンク給水式）の給水システムを有していてもよい。また、例えば、水洗大便器１は、リム吐水口部１２のみを備え、リム吐水に関して、貯水タンクに貯水された洗浄水をポンプ装置によって加圧してリム吐水口部１２から吐出させるようになっているポンプ式（タンク給水式）の給水システムを有していてもよい。
【符号の説明】
【００４５】
１      水洗大便器
２      便器本体
４      ケーシングカバー
６      スカート部
８      ボウル部
９      溜水部
１０    排水トラップ管路
１０ａ  入口部
１０ｄ  頂部
１６    貯水タンク
２０    第１供給経路
２２    第２供給経路
２３    オーバーフロー流路
２４    ポンプ装置
３０    給水バルブユニット
３０    給水バルブ
４０    オーバーフローバイパス流路
４０ａ  入口
４２    臭気逆流抑制部
４４    排水ソケット
４６    排水配管
４８    下流側部材
５０    上流側部材
ＣＬ    クリティカルライン
【図１】
2020117927.tif 000003
【図２】
2020117927.tif 000004
【図３】
2020117927.tif 000005
【図４】
2020117927.tif 000006
【図５】
2020117927.tif 000007
【図６】
2020117927.tif 000008